【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
少なくとも感光体及び該感光体を帯電する帯電部材を備える、電子写真装置本体に着脱可能なプロセスカートリッジであって、
該感光体は、
導電性支持体と感光層とを有しており、かつ、
下記一般式（１）で示される繰り返し構造単位と下記一般式（２）で示される繰り返し構造単位を有し、末端の片方又は両方が下記一般式（３）で示される末端構造を有し、また、一般式（２）及び一般式（３）におけるシロキサン部の平均繰返し数ｍ及びｎの関係がｍ＝ｎであるポリカーボネート重合体と、下記化学式（４）で示されるポリジメチルシロキサンを含む表面層を有しているものであり、
該帯電部材は、下記式（５）で示される加水分解性シラン化合物と、下記式（６）で示されるアリール基を有する加水分解性シラン化合物と、下記式（７）で示されるカチオン重合可能な基を有する加水分解性シラン化合物とを加水分解して得たカチオン重合可能な基を有する縮合物の該カチオン重合可能な基を開裂させて架橋させたポリシロキサンからなり、該化学式（４）で示されるポリジメチルシロキサンに対する接触角が、１０．０°以上７０．０°以下である最表面を有する表面層を有しているものであることを特徴とするプロセスカートリッジ。
【化１】
2008299119.tif 000001
（式（１）中、Ｘは、単結合、−Ｏ−、−Ｓ−又は置換若しくは無置換のアルキリデン基であり、Ｒ11乃至Ｒ18は、それぞれ独立に、水素原子、ハロゲン原子、アルコキシ基、ニトロ基、置換若しくは無置換のアルキル基又は置換若しくは無置換のアリール基である。また、＊は結合位置を示す。）
【化２】
2008299119.tif 000002
（式（２）中、Ｒ21及びＲ22は、それぞれ独立に、水素原子、アルキル基又はアリール基であり、Ｒ23乃至Ｒ26は、それぞれ独立に、水素原子、ハロゲン原子、置換若しくは無置換のアルキル基又はアリール基であり、ａは１乃至３０の整数、ｍは１乃至５００の整数を示す。また、＊は結合位置を示す。）
【化３】
2008299119.tif 000003
（式（３）中、Ｒ31及びＲ32は、それぞれ独立に、水素原子、ハロゲン原子、アルコキシ基、ニトロ基、置換若しくは無置換のアルキル基又はアリール基であり、Ｒ33及びＲ34はそれぞれ独立に、水素原子、アルキル基又はアリール基であり、Ｒ35乃至Ｒ39は、それぞれ独立に、水素原子、ハロゲン原子、置換若しくは無置換のアルキル基又はアリール基であり、ｂは１乃至３０の整数、ｎは１乃至５００の整数を示す。また、＊は結合位置を示す。）
【化４】
2008299119.tif 000004
（式（４）中、ｌは繰り返し単位数の平均値を示す。）
【化５】
2008299119.tif 000005
（式（５）中、Ｒ51及びＲ52はそれぞれ独立に、置換若しくは無置換のアルキル基であり、Ｚ51は、２価の有機基であり、Ｒｆ51は炭素数１乃至１１のフッ化アルキル基である。ｆは０乃至２の整数、ｇは１乃至３の整数で、かつ、ｆ＋ｇ＝３である。）
【化６】
2008299119.tif 000006
（式（６）中、Ｒ61及びＲ62はそれぞれ独立に、置換若しくは無置換のアルキル基であり、Ａｒ61は、アリール基である。ｉは０乃至２の整数、ｊは１乃至３の整数で、かつ、ｉ＋ｊ＝３である。）
【化７】
2008299119.tif 000007
（式（７）中、Ｒ71及びＲ72はそれぞれ独立に、置換若しくは無置換のアルキル基であり、Ｚ71は、２価の有機基であり、Ｒｃ71は、カチオン重合可能な基である。ｄは０乃至２の整数、ｅは１乃至３の整数で、かつ、ｄ＋ｅ＝３である。）
【請求項２】
前記感光体の表面層は、
前記化学式（４）で示されるポリジメチルシロキサンを、前記ポリカーボネート重合体に対して５質量％以上２０質量％以下の割合で含み、かつ、
該化学式（４）で示されるポリジメチルシロキサンおよび該ポリカーボネート重合体を、該表面層が含む全固形分に対して０．１質量％以上５．０質量％以下の割合で含む請求項１に記載のプロセスカートリッジ。
【請求項３】
前記一般式（２）におけるｍ、前記一般式（３）におけるｎ、および前記化学式（４）におけるｌが、１０乃至１００であって、かつ、ｍ＝ｎ＝ｌであり、さらに、前記ポリカーボネート重合体中のシロキサン部の割合が１０質量％以上６０質量％以下である請求項１又は２に記載のプロセスカートリッジ。
【請求項４】
前記一般式（２）におけるａが３以下であり、Ｒ23乃至Ｒ26がいずれもメチル基であり、かつ前記一般式（３）におけるｂが３以下であり、Ｒ33乃至Ｒ39がいずれもメチル基である請求項１乃至３のいずれか一項に記載のプロセスカートリッジ。
【請求項５】
前記帯電部材の表面層の最表面の単位面積あたりに含まれるフッ素原子の個数比率Ｙが５．００％以上４０．００％以下である請求項１乃至４のいずれか一項に記載のプロセスカートリッジ。
【請求項６】
前記カチオン重合可能な基が、エポキシ基である請求項１乃至５のいずれか一項に記載のプロセスカートリッジ。
【手続補正２】
【補正対象書類名】明細書
【補正対象項目名】００１２
【補正方法】変更
【補正の内容】
【００１２】
すなわち、本発明は、少なくとも感光体及び該感光体を帯電する帯電部材を備える、電子写真装置本体に着脱可能なプロセスカートリッジであって、該感光体は、導電性支持体と感光層とを有しており、かつ、下記一般式（１）で示される繰り返し構造単位と下記一般式（２）で示される繰り返し構造単位を有し、末端の片方又は両方が下記一般式（３）で示される末端構造を有し、また、一般式（２）及び一般式（３）におけるシロキサン部の平均繰返し数ｍ及びｎの関係がｍ＝ｎであるポリカーボネート重合体と、下記化学式（４）で示されるポリジメチルシロキサンを含む表面層を有しているものであり、該帯電部材は、下記式（５）で示される加水分解性シラン化合物と、下記式（６）で示されるアリール基を有する加水分解性シラン化合物と、下記式（７）で示されるカチオン重合可能な基を有する加水分解性シラン化合物とを加水分解して得たカチオン重合可能な基を有する縮合物の該カチオン重合可能な基を開裂させて架橋させたポリシロキサンからなり、該化学式（４）で示されるポリジメチルシロキサンに対する接触角が、１０．０°以上７０．０°以下である最表面を有する表面層を有しているものであることを特徴とするプロセスカートリッジである。
【手続補正３】
【補正対象書類名】明細書
【補正対象項目名】００１６
【補正方法】変更
【補正の内容】
【００１６】
【化８】
2008299119.tif 000008
（式（４）中、ｌは繰り返し単位数の平均値を示す。）
【化９】
2008299119.tif 000009
（式（５）中、Ｒ51及びＲ52はそれぞれ独立に、置換若しくは無置換のアルキル基であり、Ｚ51は、２価の有機基であり、Ｒｆ51は炭素数１乃至１１のフッ化アルキル基である。ｆは０乃至２の整数、ｇは１乃至３の整数で、かつ、ｆ＋ｇ＝３である。）
【化１０】
2008299119.tif 000010
（式（６）中、Ｒ61及びＲ62はそれぞれ独立に、置換若しくは無置換のアルキル基であり、Ａｒ61は、アリール基である。ｉは０乃至２の整数、ｊは１乃至３の整数で、かつ、ｉ＋ｊ＝３である。）
【化１１】
2008299119.tif 000011
（式（７）中、Ｒ71及びＲ72はそれぞれ独立に、置換若しくは無置換のアルキル基であり、Ｚ71は、２価の有機基であり、Ｒｃ71は、カチオン重合可能な基である。ｄは０乃至２の整数、ｅは１乃至３の整数で、かつ、ｄ＋ｅ＝３である。）